(57)【要約】【課題】容器の中に入れられる物と相まって装飾効果を発現させ、さらに装飾を変化させること。【解決手段】装飾容器１００は、光透過性を有する材料で形成され、光透過性を有する物Ｄが収容される容器１と、容器１の底部に着脱自在とされ、容器１の底部から容器１内に向けて光を照射する電飾器２と、電飾器２が設けられ、容器２が載置される土台部３と、を備える。【選択図】図１
0003153607.tif 000002
【実用新案登録請求の範囲】
【請求項１】
光透過性を有する材料で形成され、光透過性を有する物が収容される容器と、
前記容器の底部に着脱自在とされ、前記容器の底部から前記容器内に向けて光を照射する電飾器と、
前記電飾器が設けられ、前記容器が載置される土台部と、
を備えることを特徴とする装飾容器。
【請求項２】
前記容器の底部には、前記容器内に向けて凹む凹部が形成され、
前記電飾器において少なくとも光が出射される部分が前記凹部に挿入されていることを特徴とする請求項１に記載の装飾容器。
【請求項３】
前記容器は、飲料用グラスであり、
前記物は、飲料であることを特徴とする請求項１又は２に記載の装飾容器。
【請求項４】
前記電飾器は、
光を一端から入射するための柱状の入射部、及び前記入射部の他端に連設されて光を出射するための尖頭状の出射部を有するレンズと、
前記レンズの前記入射部の前記一端から白色光を入射させるための発光部と、を備え、
前記出射部の表面には光拡散部が形成され、
前記電飾器を前記容器に装着する際に、前記光拡散部は前記凹部に挿入されることを特徴とする請求項１から３のいずれか一項に記載の装飾容器。
【請求項５】
前記レンズの前記光拡散部は粗面によって構成されていることを特徴とする請求項４に記載の装飾容器。
【請求項６】
前記レンズの前記光拡散部は光拡散フィルムを貼り付けることによって形成されていることを特徴とする請求項４に記載の装飾容器。
【請求項７】
前記レンズは、前記入射部が円柱形に形成され、前記出射部が円錐形に形成されていることを特徴とする請求項４から６のいずれか一項に記載の装飾容器。
【請求項８】
前記光拡散部は、半透明の橙色に着色され、
前記入射部の前記一端側の側周面が青色に着色されていることを特徴とする請求項４から７のいずれか一項に記載の装飾容器。
【請求項９】
前記土台部は、上端面部を有し、下端が開口された筒状部材であり、
前記上端面部には前記レンズの前記光拡散部が挿通される挿通孔が形成され、
前記電飾器は、前記土台部の下端の開口から挿入されて前記挿通孔に前記光拡散部を挿通させた状態で前記筒状部材の下端の開口をふさぐ蓋体に下方から支持されていることを特徴とする請求項４から８のいずれか一項に記載の装飾容器。
【請求項１０】
前記土台部は、上端面部を有し、下端が開口された筒状部材であり、
前記上端面部には前記レンズの前記光拡散部が挿通される挿通孔が形成され、
前記電飾器は、前記土台部の下端の開口から挿入されて前記挿通孔に前記光拡散部を挿通させた状態で前記上端面部の下面側に固定されていることを特徴とする請求項４から８のいずれか一項に記載の装飾容器。
【請求項１１】
前記土台部は、下端面部を有し、上端が開口された筒状部材であり、
前記電飾器は、前記土台部の上端の開口から挿入されて前記下端面部の上面側に載置されていることを特徴とする請求項４から８のいずれか一項に記載の装飾容器。
【請求項１２】
前記土台部の内部の浸水を防止する止水機構を設けたことを特徴とする請求項９から１１のいずれか一項に記載の装飾容器。
【請求項１３】
前記容器及び前記土台部は、前記土台部の上端に前記容器を載置した際に、前記容器と前記土台部の外面が面一となるように形成されていることを特徴とする請求項１から１２のいずれか一項に記載の装飾容器。
【考案の詳細な説明】
【技術分野】
【０００１】
本考案は、飲料等を貯留することができ、光によって装飾される装飾容器に関する。
【背景技術】
【０００２】
従来、表面に模様や着色等の装飾を施し、室内の照明に照らされることにより、その装飾部分を視覚で楽しむことができる飲料用グラス等の容器が知られている。
バーやラウンジ等のような雰囲気を重視する場所においては、上質な雰囲気を演出するためにあらゆるものに装飾を施してあることが多い。飲料用グラス等の容器においても、独特の模様や着色が施されたものが多く用いられている。
例えば、グラスに蓄光性材料を含有させ、光が当たることで蓄光性材料に光を蓄え、その部分が発光するようなものが知られている（例えば、特許文献１参照。）。
【先行技術文献】
【特許文献】
【０００３】
【特許文献１】特開２００５−２４６９２６号公報
【考案の概要】
【考案が解決しようとする課題】
【０００４】
しかし、上記のような容器は、グラス自体の装飾を楽しむものであり、中に注がれる飲料と容器の装飾とは無関係であった。また、上記のような容器は、装飾がグラスに設けられているため、常に同じ装飾しか楽しむことができず、長く使用していると飽きてしまうという問題があった。
【０００５】
本考案は、かかる問題点を解決するためになされたものであり、容器の中に入れられる物と相まって装飾効果を発現させ、さらに装飾を変化させることができる装飾容器を提供することを目的とする。
【課題を解決するための手段】
【０００６】
請求項１に記載の考案は、装飾容器において、
光透過性を有する材料で形成され、光透過性を有する物が収容される容器と、
前記容器の底部に着脱自在とされ、前記容器の底部から前記容器内に向けて光を照射する電飾器と、
前記電飾器が設けられ、前記容器が載置される土台部と、
を備えることを特徴とする。
【０００７】
請求項２に記載の考案は、請求項１に記載の装飾容器において、
前記容器の底部には、前記容器内に向けて凹む凹部が形成され、
前記電飾器において少なくとも光が出射される部分が前記凹部に挿入されていることを特徴とする。
【０００８】
請求項３に記載の考案は、請求項１又は２に記載の装飾容器において、
前記容器は、飲料用グラスであり、
前記物は、飲料であることを特徴とする。
【０００９】
請求項４に記載の考案は、請求項１から３のいずれか一項に記載の装飾容器において、
前記電飾器は、
光を一端から入射するための柱状の入射部、及び前記入射部の他端に連設されて光を出射するための尖頭状の出射部を有するレンズと、
前記レンズの前記入射部の前記一端から白色光を入射させるための発光部と、を備え、
前記出射部の表面には光拡散部が形成され、
前記電飾器を前記容器に装着する際に、前記光拡散部は前記凹部に挿入されることを特徴とする。
【００１０】
請求項５に記載の考案は、請求項４に記載の装飾容器において、
前記レンズの前記光拡散部は粗面によって構成されていることを特徴とする。
【００１１】
請求項６に記載の考案は、請求項４に記載の装飾容器において、
前記レンズの前記光拡散部は光拡散フィルムを貼り付けることによって形成されていることを特徴とする。
【００１２】
請求項７に記載の考案は、請求項４から６のいずれか一項に記載の装飾容器において、
前記レンズは、前記入射部が円柱形に形成され、前記出射部が円錐形に形成されていることを特徴とする。
【００１３】
請求項８に記載の考案は、請求項４から７のいずれか一項に記載の装飾容器において、
前記光拡散部は、半透明の橙色に着色され、
前記入射部の前記一端側の側周面が青色に着色されていることを特徴とする。
【００１４】
請求項９に記載の考案は、請求項４から８のいずれか一項に記載の装飾容器において、
前記土台部は、上端面部を有し、下端が開口された筒状部材であり、
前記上端面部には前記レンズの前記光拡散部が挿通される挿通孔が形成され、
前記電飾器は、前記土台部の下端の開口から挿入されて前記挿通孔に前記光拡散部を挿通させた状態で前記筒状部材の下端の開口をふさぐ蓋体に下方から支持されていることを特徴とする。
【００１５】
請求項１０に記載の考案は、請求項４から８のいずれか一項に記載の装飾容器において、
前記土台部は、上端面部を有し、下端が開口された筒状部材であり、
前記上端面部には前記レンズの前記光拡散部が挿通される挿通孔が形成され、
前記電飾器は、前記土台部の下端の開口から挿入されて前記挿通孔に前記光拡散部を挿通させた状態で前記上端面部の下面側に固定されていることを特徴とする。
【００１６】
請求項１１に記載の考案は、請求項４から８のいずれか一項に記載の装飾容器において、
前記土台部は、下端面部を有し、上端が開口された筒状部材であり、
前記電飾器は、前記土台部の上端の開口から挿入されて前記下端面部の上面側に載置されていることを特徴とする。
【００１７】
請求項１２に記載の考案は、請求項９から１１のいずれか一項に記載の装飾容器において、
前記土台部の内部の浸水を防止する止水機構を設けたことを特徴とする。
【００１８】
請求項１３に記載の考案は、請求項１から１２のいずれか一項に記載の装飾容器において、
前記容器及び前記土台部は、前記土台部の上端に前記容器を載置した際に、前記容器と前記土台部の外面が面一となるように形成されていることを特徴とする。
【考案の効果】
【００１９】
請求項１に記載の考案によれば、土台部に載置された容器には、電飾器により底部から光が照射される。
これにより、照射された光は容器の中に入れられた物を透過する際に屈折し、あらゆる方向に反射する。
よって、装飾容器は、容器の中に入れられる物と相まって装飾効果を発現させることができる。
また、容器の中に入れる物を変えることにより、光の屈折方向が変化したり、視認できる容器及び物の色を変えることができるので、一つの装飾容器で装飾を変化させることができる。
【００２０】
請求項２に記載の考案によれば、電飾器の光が出射される部分が凹部に挿入されるので、容器内部の物を容器の内側から照射することができる。すなわち、容器だけでなく、容器内に入れられる物も照射することができるので、装飾効果が高い。
また、電飾器の光が出射される部分が凹部に挿入されることで、容器が土台部からずれて卓上等に落下することを防止することができる。
【００２１】
請求項３に記載の考案によれば、飲料を照射することにより、周囲の雰囲気を演出することができ、興趣性を高めることができる。
【００２２】
請求項４に記載の考案によれば、レンズの出射部が表面に光拡散部を有する尖頭状に形成されているので、この出射部によって基端側で丸く、先端側で尖った光像を視認することができる。これにより、炎に近い形の光像が得られる。
【００２３】
請求項５に記載の考案によれば、光拡散部を粗面で構成することにより、レンズに別個の部材を設けることなく、光を拡散することができる。
【００２４】
請求項６に記載の考案によれば、光拡散部は光拡散フィルムを貼り付けて形成されているので、レンズを加工する必要がなくなる。
【００２５】
請求項７に記載の考案によれば、入射部が円柱状に形成され、出射部が円錐形に形成されているので、光を入射する際の損失を減らしつつ、拡散する範囲を大きくとることができる。
【００２６】
請求項８に記載の考案によれば、レンズの光拡散部が半透明の橙色に着色されるとともに、レンズの入射部の一端側の側周面が青色に着色されているので、基端側から先端側に向かって青色から橙色に徐々に変化する光像を視認することができる。これにより、炎に近い色彩の光像が得られる。
【００２７】
請求項９から１１に記載の考案によれば、土台部が筒状部材とされているので、土台部内に電飾器を設けることができ、土台部の上端には挿入孔又は開口が形成されているので、光拡散部を上方にある容器の凹部に挿入することができる。
【００２８】
請求項１２に記載の考案によれば、止水機構を設けることにより、電飾器に水が流れ込むのを防止し、電飾器の漏電を防止することができる。
【００２９】
請求項１３に記載の考案によれば、容器と土台部の外面が面一となるように形成されているので、シルエットが美しくなる。
【図面の簡単な説明】
【００３０】
【図１】本考案の実施形態に係る装飾容器の斜視図。
【図２】装飾容器において、容器及び土台部を断面視した縦断面図。
【図３】図１の電飾器の斜視図。
【図４】図３の電飾器の分解斜視図。
【図５】図３の電飾器の発光素子点灯回路装置の構成を示す図。
【図６】図３の電飾器の発光素子の点灯制御波形を示す図。
【図７】図３の電飾器の発光素子の点灯制御波形を示す図。
【図８】駆動切り替え波形を示す図。
【図９】発光素子Ａ，Ｂ，Ｃの発光の制御波形を示す図。
【図１０】装飾容器の変形例において、容器及び土台部を断面視した縦断面図。
【図１１】装飾容器の変形例において、容器及び土台部を断面視した縦断面図。
【考案を実施するための形態】
【００３１】
本考案に係る装飾容器の実施形態を、図面を参照しながら説明する。
＜装飾容器の構成＞
図１、図２に示すように、装飾容器１００は、物が収容される容器１と、容器１の底部に着脱自在とされ、容器１に向けて光を照射する電飾器２と、電飾器２が設けられ、容器１を載置する土台部３と、を備えている。
【００３２】
（容器）
図１、図２に示すように、容器１は、例えば、無色透明の飲料用グラスである。容器１は、筒状に形成され、上端が飲料を注ぐために開口され、下端に底面部が形成されている。容器１は、光透過性を有するガラスやプラスチック等の樹脂により形成されている。なお、容器１は、素材自体が着色されていても良いが、光を透過する材料であることを要する。
容器１の底面部には、容器１内に向けて、容器１の上方の開口に向けて凹む凹部１１が形成されている。凹部１１には、電飾器２において少なくとも光が出射される部分が挿入される。すなわち、装飾容器１００は、容器１の底部近傍から光を周囲に照射することができる。
容器１内には、光透過性を有する物として、例えば、飲料Ｄを注ぐことができる。ここで、飲料Ｄは、牛乳、ココアのように光透過性がほとんどない物は除かれ、水、ビール、焼酎、ワイン、ウィスキー、カクテルのような光透過性を有する飲料が対象となる。
また、メロンソーダ、ブルーハワイのように飲料自体に着色された物、ソーダ水のように炭酸を含む物であっても良い。
【００３３】
（電飾器）
図３、図４に示すように、電飾器２は、基台２１の外周に付設された操作子２２を左右に動作させることによって、消灯モード、ろうそくモード（炎モード）及び全灯モードを選択的に切り替えることができる。ここで、電飾器２は、ろうそくモードの場合には、ろうそくの炎のように瞬きをして揺らぎのある光を視認することができ、全灯モードのときにはろうそくの炎のような形状はしているが瞬き及び揺らぎの少ない光を視認することができる。
【００３４】
基台２１の内部には、電飾器２の電源となる電池（図示せず）と、発光素子点灯回路装置４０（図５参照）とが設置されている。このうち発光素子点灯回路装置４０については後で詳細に説明する。
基台２１の上面には、特に限定はされないが、発光部としての３個の発光素子（ＬＥＤ）Ａ，Ｂ，Ｃが配線基板５０の上に並んで設けられている。３個の発光素子Ａ，Ｂ，Ｃは、特に限定はされないが、チップタイプのものであり、その３個の発光素子Ａ，Ｂ，Ｃの発光色は、白色となっている。
【００３５】
また、基台２１の上面にはレンズ立て２３が設置されている。レンズ立て２３はレンズ２４を起立させるためのものである。このレンズ立て２３は円筒状を呈し、下端には起立を容易にするための鍔部が形成されている。レンズ立て２３の開口径は、３個の発光素子Ａ，Ｂ，Ｃを取り囲むことができる大きさとなっている。
ここで、レンズ立て２３は全体が遮光性を有し、３個の発光素子Ａ，Ｂ，Ｃが外部から直接視認できないような構成となっている。なお、レンズ立て２３の一部だけ遮光性を有する構成としても良い。必要なのは、３個の発光素子Ａ，Ｂ，Ｃからの光が直接に外部に漏れるのを防止することである。
【００３６】
レンズ２４は、特に限定はされないが、アクリル樹脂又はガラスによって形成されている。このレンズ２４はろうそくの炎の形状に似せた光像を形成するためのもので、入射部２５及び出射部２６を備えている。
レンズ２４の入射部２５は円柱状に形成されており、下端側半分ほどの着色部２５ａと、残る上端側半分ほどの透明部２５ｂとから構成されている。このうち着色部２５ａは側周面が不透明の青色に着色されており、透明部２５ｂは無色透明となっている。この入射部２５のうちの着色部２５ａを含む下端部分が上記レンズ立て２３の開口に差し込まれることによって、レンズ２４はレンズ立て２３に保持される。
【００３７】
一方、レンズ２４の出射部２６は、特に限定はされないが、円錐状に形成されている。そして、この出射部２６の外周面は光拡散面（光拡散部）となっている。出射部２６の外周面を光拡散面とする手法としては、例えば、サンドブラスト法によって出射部２６の外周面に粗面（例えば、凹凸）を形成する方法や、ヤスリで削ることによって出射部２６の外周面に筋状の凹凸を形成する方法や、光拡散フィルムを出射部２６の外周面に貼る方法などが挙げられる。
また、出射部２６は、半透明の橙色に着色されている。
なお、出射部２６は尖頭状に形成されていればよい。より詳しくは、出射部２６は、先端は尖っていても良いが、多少丸まっているか、平らな部分があっても良い。例えば、平らな部分があれば、そこから光が上方に向けて抜けるので光像の高さが大きくなる。
【００３８】
次に、図５に基づいて発光素子点灯回路装置４０を説明する。
発光素子点灯回路装置４０は、基準信号発生部４１と、第１デューティ制御部４２と、第２デューティ制御部４３と、切り替え信号発生部４４と、駆動切り替え部４５と、点灯ドライバ４６とを含んで構成されている。この発光素子点灯回路装置４０の各部の構成を、ろうそくモードにある場合の働きと共に説明する。
【００３９】
基準信号発生部４１は、３個の発光素子Ａ，Ｂ，Ｃを駆動するための基準信号を生成するためのものである。この基準信号としては、特に限定はされないが、８．２５Ｈｚの方形波の信号が生成される。
第１デューティ制御部（点灯制御信号生成部）４２は、主に、上記基準信号に基づいて発光素子Ａの点灯制御信号を生成するためのものである。また、第２デューティ制御部（点灯制御信号生成部）４３は、主に、上記基準信号に基づいて発光素子Ｂの点灯制御信号を生成するためのものである。
第１デューティ制御部４２及び第２デューティ制御部４３は、基準信号発生部４１からの基準信号のデューティを特に限定はされないが図６に示す９８．７％〜図７に示す６％の間で周期的に変化させて、正弦波又は三角波の如く明暗を繰り返すように発光素子Ａ，Ｂを発光させるためのものである。ただし、第１デューティ制御部４２から出力される点灯制御信号と第２デューティ制御部４３から出力される点灯制御信号とでは、デューティの変化の周期が異なっている。特に限定はされないが、第１デューティ制御部４２から出力される点灯制御信号ではデューティの変化の周期が０．１４Ｈｚ、第２デューティ制御部４３から出力される点灯制御信号の変化の周期は０．２２Ｈｚとなっている。
【００４０】
切り替え信号発生部４４は、発光素子Ｃの駆動切り替えを行うためのタイミング信号を生成するためのものである。このタイミング信号としては、特に限定はされないが、図８に示す２．８５Ｈｚの方形波の信号が生成される。
駆動切り替え部（点灯制御信号生成部）４５は、第１デューティ制御部４２及び第２デューティ制御部４３の点灯制御信号に基づき発光素子Ｃの点灯制御信号を生成するためのものである。具体的には、駆動切り替え部４５は、切り替え信号発生部４４からの駆動切り替えタイミング信号のハイ、ローの切り替えタイミングで、第１デューティ制御部４２から出力される点灯制御信号と第２デューティ制御部４３から出力される点灯制御信号とを交互に切り替えてなる点灯制御信号を生成する。
点灯ドライバ４６は、点灯制御信号を反転させて発光素子Ａ，Ｂ，Ｃに供与する。
以上によって、発光素子Ａ，Ｂ，Ｃの発光は図９（Ａ），（Ｂ），（Ｃ）のように制御される。
【００４１】
以上、ろうそくモードにある場合の発光素子点灯回路装置４０の各部の働きを説明したが、全灯モードにある場合には、例えば、第１デューティ制御部４２及び第２デューティ制御部４３は、基準信号発生部４１からの基準信号のデューティを特に限定はされないが図６に示す９８．７％に固定させて点灯ドライバ４６に供与する。
発光素子Ａ，Ｂ，Ｃを定電流で発光させた場合の光像は下側（基端側）が丸く上側（先端側）が尖った形状となる。実際のろうそくの炎は雫形状である。
また、光像は、入射部２５下端側の着色部２５ａを透過又は反射した光が出射部２６を出射して投影されるため、下側に向かうほど濃くなる青色と略一様な濃度の橙色との混色になる。つまり、下側から上側に向かって青色から橙色に徐々に変化する光像が得られ、従来の同一色の光像に比較すると、さらに、ろうそくの炎に近い色彩の光像が得られることになる。
また、ろうそくモードでの光像は、互いに異なる周期で明暗を繰り返す２個の発光素子Ａ，Ｂの組み合わせによって生成される光像の揺らぎの上に、２個の発光素子Ａ，Ｂの発光状態を交互に取る発光素子Ｃの光像の揺らぎが加わるので、全体としての構造は上下方向に大きく伸縮することになるとともに、明るさも大きく変化する。その結果、ろうそくの炎が小さくなり一瞬消えかかった後、また、勢いよく燃え盛る様子が表現できることになる。
【００４２】
（土台部）
図１、図２に示すように、土台部３は、上端面を有し、下端が開口された略円筒状の筒状部材である。土台部３の上端面には、その中心にレンズ２４を挿通させる挿通孔３１が形成されている。
土台部３は、卓上等の水平面に載置されるように上端面及び下端面が平面状に形成されている。上述の電飾器２は、土台部３の下端の開口から挿入されている。さらに、電飾器２を土台部３内に挿入した状態で、蓋体３２が土台部３の下端の開口から嵌め込まれている。これにより、電飾器２を土台部３内に収容すると共に、蓋体３２の上面で電飾器２を支持している。この状態において、レンズ２４のうち、少なくとも光拡散面が挿通孔３１に挿通されており、レンズ２４の光拡散面が容器１の凹部１１内に挿入された状態となっている。
ここで、レンズ２４の光拡散面が容器１の凹部１１に挿入されることで、容器１が土台部３から落下するのを防止するストッパ機構として機能している。
【００４３】
蓋体３２は、土台部３の下端の開口をふさぐ蓋になると共に、土台部３の台座となり、蓋体３２と設置面との摩擦力によって土台部３の滑り止めとして機能している。なお、蓋体３２は、土台部３の下端の開口を密閉するように嵌め込まれている。そのため、蓋体３２は、弾性を有する材料、例えば、ゴム栓により構成することが好ましい。
また、土台部３と電飾器２との間には、土台部３の挿通孔３１と電飾器２の間にできる隙間を埋めるよう、ゴムパッキン３３が設けられている。すなわち、ゴムパッキン３３は、土台部３の内部の浸水を防止する止水機構として機能している。これは、容器１に冷たい飲料を注いだ場合等に容器１の外側に発生する結露が土台部３の上端の挿通孔３１から土台部３内に侵入して電飾器２に接触し、漏電することを防止するためである。なお、土台部３の下端からの浸水は、蓋体３２により防止されている。
また、土台部３は、容器１を載置した際に、上端部の外縁が容器１の底の外縁とほぼ一致するように形成されている。すなわち、容器１及び土台部３は、土台部３の上端面に容器１を載置した際に、容器１と土台部３の外面が面一となるように形成されている。
【００４４】
＜作用効果＞
このように、装飾容器１００によれば、土台部３上に載置された容器１には、電飾器２により凹部１１から光が照射される。
これにより、照射された光は容器１の中に入れられた飲料Ｄを透過する際に屈折し、あらゆる方向に反射する。
よって、装飾容器１００は、容器１の中に入れられる飲料Ｄと相まって装飾効果を発現させることができる。
また、容器１の中に入れる飲料Ｄを変えたり、他の物を入れることにより、光の屈折方向が変化したり、視認できる容器１及び物の色を変えることができるので、一つの装飾容器１００で装飾を変化させることができる。
【００４５】
また、電飾器２の光が出射される部分が凹部１１に挿入されるので、容器１内部の飲料Ｄを内側から照射することができる。すなわち、容器１だけでなく、容器１内に入れられる飲料Ｄも照射することができるので、装飾効果が高い。
また、電飾器２の光拡散面が凹部１１に挿入されることで、容器１が土台部３からずれて卓上等に落下することを防止することができる。
【００４６】
また、飲料Ｄを照射することにより、周囲の雰囲気を演出することができ、興趣性を高めることができる。
【００４７】
また、レンズ２４の出射部２６が表面に光拡散面を有する尖頭状に形成されているので、この出射部２６によって基端側で丸く、先端側で尖った光像を視認することができる。これにより、炎に近い形の光像が得られる。
【００４８】
また、光拡散面を粗面で構成することにより、レンズ２４に別個の部材を設けることなく、光を拡散することができる。また、光拡散面を、粗面に代えて光拡散フィルムを貼り付けた面とすることで、レンズ２４を加工する必要がなくなる。
【００４９】
また、入射部２５が円柱状に形成され、出射部２６が円錐形に形成されているので、光を入射する際の損失を減らしつつ、拡散する範囲を大きくとることができる。
【００５０】
また、レンズ２４の光拡散面が半透明の橙色に着色されるとともに、レンズ２４の入射部２５の一端側の側周面が青色に着色されているので、基端側から先端側に向かって青色から橙色に徐々に変化する光像を視認することができる。これにより、炎に近い色彩の光像が得られる。
【００５１】
また、土台部３が筒状部材とされているので、土台部３内に電飾器２を設けることができ、土台部３の上端には挿入孔３１が形成されているので、レンズ２４の光拡散面を上方にある容器１の凹部１１に挿入することができる。
【００５２】
また、ゴムパッキン３３を設けることにより、電飾器２に水が流れ込むのを防止し、電飾器２の漏電を防止することができる。
【００５３】
また、容器１と土台部３の外面が面一となるように形成されているので、シルエットが美しくなる。
【００５４】
＜変形例１＞
次に、装飾容器の変形例について説明する。この変形例は、土台部への電飾器の取付構造が異なるため、その点について説明し、上記実施形態と同じ構成要素には同一符号を付して説明を省略する。
図１０に示すように、装飾容器１０１において、電飾器２は、土台部３の下端の開口から挿入されている。さらに、電飾器２の基台２１の上面が土台部３の上端面の下面側に接着されることにより、土台部３に電飾器２が固定され、支持されている。この状態において、レンズ２４のうち、少なくとも光拡散面が挿通孔３１に挿通されており、レンズ２４の光拡散面が容器１の凹部１１内に挿入された状態となっている。
ここで、電飾器２の基台２１の上面が土台部３の上端面の下面側に接着されることにより、基台２１の上面と土台部３の上端面の下面側との間に隙間はないので、このように接着固定することが土台部３の内部の浸水を防止する止水機構として機能している。
このような取付構造を採用しても、上記実施形態と同じ作用効果を奏することができる。
【００５５】
＜変形例２＞
次に、装飾容器の変形例について説明する。この変形例は、土台部への電飾器の取付構造が異なるため、その点について説明し、上記実施形態と同じ構成要素には同一符号を付して説明を省略する。
図１１に示すように、装飾容器１０２において、土台部３Ａは、下端面部（底面部）を有し、上端が開口された略円筒状の筒状部材である。土台部３Ａは、上端の開口から電飾器２を挿入して載置した際に、レンズ２４の光拡散面が土台部３Ａの上端よりも上方に突出する高さとなるように形成されている。さらに、土台部３Ａは、上端の開口から電飾器２を挿入して載置した際に、基台２１の上端面と土台部３Ａの上端とが同じ高さとなるように形成されている。
土台部３Ａは、卓上等の水平面に載置されるように上端面及び下端面が平面状に形成されている。電飾器２は、土台部３の上端の開口から挿入されている。これにより、電飾器２を土台部３内に収容すると共に、土台部３Ａの底面で電飾器２を支持している。この状態において、レンズ２４のうち、少なくとも光拡散面が挿通孔３１に挿通されており、レンズ２４の光拡散面が容器１の凹部１１内に挿入された状態となっている。
ここで、電飾器２の基台２１の上面が土台部３Ａの上端面と同じ高さに形成されているので、容器１を土台部３Ａに載置した際に、容器１の底面が電飾器２の基台２１の上面に当接する。そのため、基台２１の上面と土台部３Ａの上端面との間に隙間はないので、このように土台部３Ａの高さを形成し、基台２１と容器１の底面を当接させることが土台部３Ａの内部の浸水を防止する止水機構として機能している。
このような取付構造を採用しても、上記実施形態と同じ作用効果を奏することができる。
【００５６】
＜その他＞
以上、本考案の実施形態について説明したが、本考案は、かかる実施形態には限定されず、その本質的部分を変更しない範囲で設計変更が可能である。
容器１は、飲料用グラスに限らず、インテリアとして用いても良い。この場合、容器１には、着色された水やゲルのような物を入れ、電飾器２による光の照射により光を乱反射させて美感を起こさせることができる。また、容器１に入れることができるのは、液体等の流動体に限らず、例えば、光透過性を有するガラス玉を入れてもよい。この場合においても、ガラス玉が光を乱反射させるので、美感を起こさせることができる。
【符号の説明】
【００５７】
１  容器
２  電飾器
３  土台部
１１  凹部
２４  レンズ
２５  入射部
２６  出射部
３１  挿通孔
３２  蓋体
３３  ゴムパッキン（止水機構）
１００，１０１，１０２  装飾容器
Ａ，Ｂ，Ｃ  発光素子（発光部）
【図１】
0003153607.tif 000003
【図２】
0003153607.tif 000004
【図３】
0003153607.tif 000005
【図４】
0003153607.tif 000006
【図５】
0003153607.tif 000007
【図６】
0003153607.tif 000008
【図７】
0003153607.tif 000009
【図８】
0003153607.tif 000010
【図９】
0003153607.tif 000011
【図１０】
0003153607.tif 000012
【図１１】
0003153607.tif 000013